(57)【要約】  【課題】  クリップが取り付けられた筆記具などをポケットなどに差し込もうと、クリップ部を持ち上げた（筆記具の軸筒から離隔させた）際には、クリップ部の湾曲による応力が、前記両側縁部とクリップ部の連結部である垂直な角部、並びに、クリップ部と取付部の連結部分である垂直な角部に集中してしまい、その結果、該部分の疲労が著しく早まり、挟持力の低下と共に、終には、折損してしまう危険性があった。  【解決手段】  軸筒に固定される基部と、その基部に連接されたクリップ本体とからなるクリップであって、そのクリップ本体の長手方向に壁部を立設すると共に、その壁部に凹陥部を形成し、その凹陥部と壁部との連結部を湾曲形成したクリップ。【選択図】  図２
2009107271.tif 000002
【特許請求の範囲】
【請求項１】
軸筒に固定される基部と、その基部に連接されたクリップ本体とからなるクリップであって、そのクリップ本体の長手方向に壁部を立設すると共に、その壁部に凹陥部を形成し、その凹陥部と壁部との連結部を湾曲形成したことを特徴とするクリップ。
【請求項２】
前記クリップ本体を正面視で中央部が突出する山型状に形成したことを特徴とする請求項１記載のクリップ。
【請求項３】
前記基部とクリップ本体を側面視で傾斜させて連接したことを特徴とする請求項１、或いは、請求項２に記載のクリップ。
【請求項４】
前記壁部をクリップ本体の両側部に形成したことを特徴とする請求項１〜請求項３の何れかに記載のクリップ。
【発明の詳細な説明】
【技術分野】
【０００１】
本発明は、軸筒に固定される基部と、その基部に連接されたクリップ本体とからなるクリップに関する。
【背景技術】
【０００２】
１例として、クリップ部の長手方向の両端部に両側縁部を形成したクリップが知られている。その両側縁部は、クリップ部からほぼ垂直な状態で立設されており、また、その両側縁部は、前方に形成されているクリップ玉部から後方部にかけて形成されているが、クリップ部の中間部までの形成となっている。即ち、クリップ部の後方中間部から取付部までの区間には両側縁部は形成されておらず、クリップ部の厚みが露出している。
【０００３】
【特許文献１】特許第３８０７８７０号
【発明の開示】
【発明が解決しようとする課題】
【０００４】
しかし、上記の従来技術にあっては、両側縁部の後端部とクリップ部の連結部分が、ほぼ垂直な状態で連結されており、また、クリップ部と取付部もほぼ垂直な状態で連結されている。
よって、前記のクリップが取り付けられた筆記具などをポケットなどに差し込もうと、クリップ部を持ち上げた（筆記具の軸筒から離隔させた）際には、クリップ部の湾曲による応力が、前記両側縁部とクリップ部の連結部である垂直な角部、並びに、クリップ部と取付部の連結部分である垂直な角部に集中してしまい、その結果、該部分の疲労が著しく早まり、挟持力の低下と共に、終には、折損してしまう危険性があった。
【課題を解決するための手段】
【０００５】
本発明は、軸筒に固定される基部と、その基部に連接されたクリップ本体とからなるクリップであって、そのクリップ本体の長手方向に壁部を立設すると共に、その壁部に凹陥部を形成し、その凹陥部と壁部との連結部を湾曲形成したことを要旨とする。
【発明の効果】
【０００６】
本発明は、軸筒に固定される基部と、その基部に連接されたクリップ本体とからなるクリップであって、そのクリップ本体の長手方向に壁部を立設すると共に、その壁部に凹陥部を形成し、その凹陥部と壁部との連結部を湾曲形成したので、経時的に安定した挟持力が得られるクリップを提供することができる。
【発明を実施するための最良の形態】
【０００７】
作用について説明する。
クリップを作動させた際、応力は主に凹陥部に作用するが、その応力は、凹陥部の中央部に集中するのではなく、凹陥部の端部近傍に形成されている湾曲部にも分散される。即ち、応力が広範囲に渡って分散される。
【０００８】
本発明の１例を図１〜図１３に示し説明する。黒や赤、青色などからなる有色半透明の外軸１の前方には、先部材２が螺合の手段によって着脱自在に固定されている。その先部材２の表面には突部２ａが長手方向に形成されているが、その突部２ａの後端部は外軸１の前方部まで延設されている。また、その突部２ａの近傍を除く表面には、幾何学的模様を形成する凹部２ｂが円周方向に渡って形成されている。前記突部２ａは、筆記するボールペン体２０のペン先２０ａの方向を指示しているため、ペン先２０ａの先端の認識力を向上させていると共に、また、円周方向の凹部２ｂは筆記する面の視認性を向上させている。
また、先部材２の前方には、ペン先２０ａが出没する貫通孔２ｃが形成されており、その貫通孔２ｃの前方から後方にかけて大径部２ｄと小径部２ｅが形成されている。前者の大径部２ｄは、先部材２の表面にめっき処理を施した場合の、そのめっき液の内部への侵入を考慮して形成されている。つまり、めっき液の厚みの分大径としているのである。この大径部２ｄは、先端近傍部のみに形成されているわけではなく、後方に向けてある程度の長さを有している。一方、後者である小径部２ｅは、ペン先２０ａとほぼ同径をなしているが、若干大径に形成している。ペン先２０ａの振れを防止しているのである。
【０００９】
前記外軸１の前方部は、縮径部３が形成されており、その縮径部３にはゴム状弾性体などからなるグリップ部４が２色成形、或いは、多重成型や異材質成形などと称された成形手段によって一体成形されている。そして、そのグリップ部材４の表面には、流線型の段部４ａが複数形成されていると共に、後端部はその流線型の段部に沿って傾斜（傾斜面部４ｂ）している。美観を向上させていると共に、グリップ部材４を把時した際の、指へのフィット感を良好なものとしている。
【００１０】
外軸１の後部には、内軸５が挿着されており、その内軸５の後部には後述するクリップを挟み込む、尾冠６が形成されており、また、その尾冠６は外軸１の後端部から突出している。そして、その外軸１の後端部と尾冠６との間にはクリップ７の取り付け基部８が挟み込まれており、外軸１との固定部となっている。尚、外軸１とクリップ７の基部８との固定部は、互いに形成された傾斜面（傾斜面部８ａ、１ａ）となっており、前記グリップ部材４に形成された流線型の段部４ａなどと相まって、より一層、美観を向上させるものとなっている。
前記内軸５の外面後部には、菱形状の突起９が対向した位置に形成されており、前記外軸１に形成された貫通孔１０に嵌まり込んでいる。つまり、これら突起９の貫通孔１０に対する嵌合により、内軸５の外軸１に対する脱落が防止されているのである。
また、内軸５の表面には、複数の菱形状の凹部１１が連続して形成されているが、その菱形状の凹部１１は４個の三角形の面部１１ａから構成される。
【００１１】
次に、前記クリップ７について詳述する。クリップ７は、ステンレスや真鍮など金属材質から形成されているが、樹脂材質であっても良い。また、クリップ７は、前記外軸１と尾冠６によって挟み込まれる基部８とクリップ本体部７ａとから構成されている。その基部８は、クリップ本体部７ａに対して側面視で傾斜した状態で一体的に連接されており、その基部８の底面は傾斜面部８ａとなっている。
また、クリップ本体部７ａの横断面形状、つまり正面視では、中央部が突出した山形状をなしているが、頂部には平坦部７ｂが形成されている。この平坦部７ｂには、文字や模様などを容易に印刷、或いは、刻印などを施すことができる。
そして、その平坦部７ｂの長手方向における両側には傾斜面７ｃが形成されており、その傾斜面７ｃの縁部には側壁部７ｄが形成されている。その側壁部７ｄは、前記平担部７ｂを基準面として垂直な方向、かつ、外軸１に向けて立設されている。また、前記基部８にも側壁部７ｄに相当する側壁部８ａが外軸１の傾斜面部１ａに向けて立設されている。これらの側壁部７ｄ、８ａとの連結部には、凹陥部３０が形成されているが、各々に対する連結部は湾曲形成（前部湾曲部３０ａ、後部湾曲部３０ｂ）されている。凹陥部３０と前後の側壁部７ｄ、８ａを湾曲した形状によって連結することによって、クリップ７を外軸１から離隔させた際（図１３参照）、クリップ７に作用する応力を分散させているのである。
尚、側壁部７ｄや側壁部８ａは、クリップ７の側面に指などが接触した場合における傷などを防止すると共に、クリップ７の剛性を向上させている。また、側壁部７ｄを設けることによって、美観を向上させていると共に、高級感をも向上させている。
【００１２】
本実施例の軸筒の内部には、筆記体が出没可能に配置されている。その筆記体の出没動作は、デビットカム機構と称される出没機構によってなされている。以下、具体的に詳述する。
前記内軸５の内面の後方には、カム溝１２とカム突起１３が長手方向に形成されており、そのカム突起１３の前端面には、傾斜したカム面が形成されている。内軸５の内面の中間部には、４個の突起１４が等間隔な位置に形成されている。この４個の突起１４は、後述する回転子の内軸５からの脱落を防止するものとなっている。
そして、内軸５の後部には、回転子１５が挿着されている。その回転子１５の外周には、前記カム溝１２内を摺動する摺動突起１６が形成されており、その摺動突起１６の後端面には、前記カム面１３と係合する傾斜したカム面１６ａが形成されている。また、回転子１５の前端外周部には、鍔部１５ａが形成されており、後述する筆記体（油性ボールペン）の後部を受け止めている。鍔部１５ａによって、筆記体の後部外周縁部をガイドすることによって、筆記体の振れを防止しているのである。
また、回転子１５の後部には、ノック部材１７が配置されており、その後部を内軸５の後端開口部から突出させている。そのノック部材１７の前端部には、前記回転子１５のカム面１６ａと係合し、その回転子１５を押圧・回転すべく三角形状の山形傾斜面１８が形成されている。そして、ノック部材１７の前方外周面には、前記内軸５のカム溝１２を摺動する突起１９が形成されている。
符号２０は、水性ボールペンであり、その油性ボールペン２０の先端には、筆記部となるペン先２０ａが取り付けられている。しかし、水性ボールペンに限定されることはなく、油性ボールペン、或いは、シャープペンシルユニットなどからなる筆記体であっても良い。前記油性ボールペン２０は、コイルスプリングなどの弾発部材２１によって後方に向けて付勢されている。尚、筆記体２０が弾発部材２１によって付勢されることにより、前記回転子１５やノック部材１７も後方に向けて付勢されている。
【００１３】
尚、本実施例においては、外軸１の外面、並びに、内面を平滑な円周面としているが、例えば、内周面に内軸５の表面と同様な菱形状の凹部、或いは、突部を形成しても良い。しかし、内軸５からの光線の反射を妨げないために、内軸５と外軸１との位置合わせをするのが好ましい。
また、菱形状の凹部１１を形成した内軸５を外軸１に挿着しているため、言い換えると、菱形状の凹部１１を外軸１によって囲繞しているため、凹部１１の感触が指に伝わらず、良好な筆記感が得られるものともなっている。
【００１４】
第２例を図１４に示し説明する。前記クリップ７の側壁部７ｄに形成した凹陥部３０を、側壁部７ｄの中間部に形成した例である。具体的に説明すると、その凹陥部３０は、側壁部７ｄの中央部よりも若干後方に形成されている。本例においても、凹陥部３０の前方と後方には、緩やかかな湾曲部が形成されている。本例においては、前記第１例と同様な効果のほかに、クリップ７のほぼ中央部分からクリップ７が湾曲する作用を有している。
【００１５】
第３例を図１５、図１６に示し説明する。前記側壁部７ｄに相当する壁部をクリップ本体部７ａの長手方向であって、且つ、中央部に形成した例である。その中央部に形成した中央側壁７ｅの後部にも、凹陥部３０が形成されており、その両端部における連結部分には、湾曲部３０ａ、３０ｂが形成されている。本例は、クリップ７を樹脂に成形した場合に特に有効である。
【図面の簡単な説明】
【００１６】
【図１】本発明の１例を示す正面外観図。
【図２】図１の側面図。
【図３】図１の縦断面図。
【図４】図２の要部拡大図。
【図５】図２の上面図。
【図６】図１のＡ−Ａ線横断面図。
【図７】図１のＢ−Ｂ線横断面図。
【図８】図１のＣ−Ｃ線横断面図。
【図９】先部材の縦断面図。
【図１０】中軸の外観斜視図。
【図１１】回転子の外観斜視図。
【図１２】ノック部材の外観斜視図。
【図１３】クリップの動作を示す側面図。
【図１４】第２例を示す要部側面図。
【図１５】第３例を示すクリップの側面図。
【図１６】図１５の下方外観斜視図。
【符号の説明】
【００１７】
１      外軸
２      先部材
３      縮径部
４      グリップ部
５      内軸
６      尾冠
７      クリップ
７ａ    クリップ本体部
７ｂ    平面部
７ｃ    傾斜面
７ｄ    側壁部
７ｅ    中央側壁
８      基部
９      突起
１０    貫通孔
１１    凹部
１２    カム溝
１３    カム突起
１４    突起
１５    回転子
１６    摺動突起
１７    ノック部材
１８    山形傾斜面
１９    突起
２０    筆記体
３０    凹陥部
３０ａ  前部湾曲部
３０ｂ  後部湾曲部
【図１】
2009107271.tif 000003
【図２】
2009107271.tif 000004
【図３】
2009107271.tif 000005
【図４】
2009107271.tif 000006
【図５】
2009107271.tif 000007
【図６】
2009107271.tif 000008
【図７】
2009107271.tif 000009
【図８】
2009107271.tif 000010
【図９】
2009107271.tif 000011
【図１０】
2009107271.tif 000012
【図１１】
2009107271.tif 000013
【図１２】
2009107271.tif 000014
【図１３】
2009107271.tif 000015
【図１４】
2009107271.tif 000016
【図１５】
2009107271.tif 000017
【図１６】
2009107271.tif 000018